(57)【特許請求の範囲】
【請求項１】
拡散チュ−ブの内部にシャ−シを管軸方向に配置し、該シャ−シに沿って複数のＬＥＤを実装した基板を配置するとともに、前記拡散チュ−ブの内部に非常用電源ユニットと、該電源ユニットから電力を給電される蓄電器と、周面に基板を装着可能な基板ホルダとを配置し、非常時に前記ＬＥＤを点灯可能にした工事用照明器具において、前記基板ホルダを管状に形成し、該基板ホルダの内側に一対の挟持片を対向配置したインナ−ホルダを設け、前記挟持片の間に前記蓄電器を挟持したことを特徴とする工事用照明器具。
【請求項２】
前記挟持片の先端部に弾性を有する環状の掛止部材を装着した請求項１記載の工事用照明器具。
【請求項３】
前記基板ホルダの周面に軸方向に沿って開口部を形成し、該開口部に臨ませて一対の張出部を突設し、該張出部の間に前記基板を挟持した請求項１記載の工事用照明器具。
【請求項４】
前記張出部の外周に弾性を有する環状の掛止部材を装着した請求項３記載の工事用照明器具。
【請求項５】
前記一対の挟持片の先端部を前記開口部の内側開口縁部に臨ませて配置し、かつ挟持片の先端部を互いに外側へ屈曲した請求項３記載の工事用照明器具。
【請求項６】
前記基板ホルダに前記インナ−ホルダと張出部とを一体に樹脂成形した請求項１または３記載の工事用照明器具。
【請求項７】
前記シャ−シに複数の基板ホルダを離間して配置し、該複数の基板ホルダに亘って前記蓄電器を保持した請求項１記載の工事用照明器具。
【請求項８】
前記蓄電器を基板の直下に配置した請求項１記載の工事用照明器具。
【発明の詳細な説明】
【技術分野】
【０００１】
本発明は、例えばトンネル築造時の使用に好適で、蓄電器とＬＥＤを実装した基板とを合理的かつコンパクトに配置し、小形軽量化と体裁の改善を図るとともに、これを堅牢に構成して工事用に好適にし、しかも寿命を向上し安全かつ安定した通常照明と非常照明を得られる工事用照明器具に関する。
【背景技術】
【０００２】
工事用照明器具は、工事の種類や施工現場の状況によって種々のものが使用され、例えば道路工事用のものとして、透明な筒部に蛍光ランプを収容した筒状のケ−スと、このケ−スを立位状態で着脱可能に取付け、かつ電源に接続する固定台とを備えたものがある（例えば、特許文献１参照）。
【０００３】
しかし、蛍光ランプは消費電力が大きく、大きな安定器を要して器具全体が大形重量化する上に概して寿命が短く、しかも停電時には蛍光ランプが消灯して作業が中断し、または困難になる等の問題があった。
【０００４】
このような問題を解決するものとして、器具本体の内部に反射板と蛍光ランプ、および前記ランプの光で発電する太陽電池とその蓄電体、該蓄電体によって点灯するＬＥＤからなる非常灯を備え、通常時は蛍光ランプを点灯してトンネル内を照明し、停電時に蓄電体の電力によって非常灯を点灯し、ランプの光を有効利用したトンネル照明装置がある（例えば、特許文献２参照）。
【０００５】
しかし、前記照明装置は、大形大重量で広い設置スペ−スを要するとともに、非常灯の光量が概して低く、誘導灯としての十分な効果を得難く、しかも蛍光ランプや非常灯、蓄電体等を通常照明と同様に取付けているため、塵埃が発生し振動が激しいトンネル築造時下での使用には堪えられない。
【０００６】
また、他の照明装置の中に、居住空間の天井部にＬＥＤ照明装置を設置し、該照明装置は中空の矩形断面からなる長尺の灯部を有し、該灯部を凹状に成形したアルミニウム製のシャ−シと、該シャ−シに連結するコ字形断面の乳白色の拡散カバ−とで構成し、前記シャ−シの内側に複数のプリント基板を短冊状に配置し、該基板の表面に複数のＬＥＤを実装し、前記灯部の両側をサイドカバ−で閉塞して、通常時は外部電力によって前記ＬＥＤを点灯し、停電等の非常時に、灯部の外側に設けたバッテリユニットから給電して前記ＬＥＤを点灯し、非常灯として機能させるようにしたものがある（例えば、特許文献３参照）。
【０００７】
しかし、前記ＬＥＤ照明装置は、長尺で大形重量化する上に、周囲の照度等を検出する種々のセンサと、該センサの入力信号を処理するマイコンユニットを要し、また灯部の外側にバッテリユニットや充電器を配置しているため、構成の複雑化と大形重量化を助長し、高価になるとともに、多数のＬＥＤをシャ−シに実装したまま使用するため、設置環境が厳しい工事現場の使用に堪えられないという問題があった。
【先行技術文献】
【特許文献】
【０００８】
【特許文献１】特開平８−３２１２０８号公報
【特許文献２】特開２００５−１８３０７７号公報
【特許文献３】特開２０１０−２８７４０３号公報
【発明の開示】
【発明が解決しようとする課題】
【０００９】
本発明はこのような問題を解決し、例えばトンネル築造時の使用に好適で、蓄電器とＬＥＤを実装した基板とを合理的かつコンパクトに配置し、小形軽量化と体裁の改善を図るとともに、これを堅牢に構成して工事用に好適にし、しかも寿命を向上し安全かつ安定した通常照明と非常照明を得られる、工事用照明器具を提供することを目的とする。
【課題を解決するための手段】
【００１０】
請求項１の発明は、拡散チュ−ブの内部にシャ−シを管軸方向に配置し、該シャ−シに沿って複数のＬＥＤを実装した基板を配置するとともに、前記拡散チュ−ブの内部に非常用電源ユニットと、該電源ユニットから電力を給電される蓄電器と、周面に基板を装着可能な基板ホルダとを配置し、非常時に前記ＬＥＤを点灯可能にした工事用照明器具において、前記基板ホルダを管状に形成し、該基板ホルダの内側に一対の挟持片を対向配置したインナ−ホルダを設け、前記挟持片の間に前記蓄電器を挟持し、拡散チュ−ブの内部に配置した蓄電器を挟持片によって確実かつ安全に保持し、工事現場での振動や衝撃による蓄電器の移動や落下を強力に防止するようにしている。
請求項２の発明は、挟持片の先端部に弾性を有する環状の掛止部材を装着し、掛止部材の弾性によって一対の挟持片を引き寄せ、蓄電器を強固かつ安全に保持し得るようにしている。
【００１１】
請求項３の発明は、基板ホルダの周面に軸方向に沿って開口部を形成し、該開口部に臨ませて一対の張出部を突設し、該張出部の間に前記基板を挟持し、基板を容易に取付けられるようにしている。
請求項４の発明は、張出部の外周に弾性を有する環状の掛止部材を装着し、掛止部材の弾性によって一対の張出部を引き寄せ、基板を強固かつ安全に保持するようにしている。
【００１２】
請求項５の発明は、一対の挟持片の先端部を前記開口部の内側開口縁部に臨ませて配置し、かつ挟持片の先端部を互いに外側へ屈曲し、例えば開口部から蓄電器を押し込んで挟持片に挟持させ、蓄電器を容易に保持させるようにしている。
請求項６の発明は、基板ホルダに前記インナ−ホルダと張出部とを一体に樹脂成形し、部品製作を容易かつ合理化し、部品点数の低減と構成の簡潔化を図るようにしている。
請求項７の発明は、シャ−シに複数の基板ホルダを離間して配置し、該複数の基板ホルダに亘って前記蓄電器を保持し、蓄電器を安定かつ安全に保持するようにしている。
請求項８の発明は、蓄電器を基板の直下に配置し、蓄電器と基板をコンパクトに配置し、この種工事用照明器具の小形化と体裁の向上を図るようにしている。
【発明の効果】
【００１３】
請求項１の発明は、基板ホルダを管状に形成し、該基板ホルダの内側に一対の挟持片を対向配置したインナ−ホルダを設け、前記挟持片の間に蓄電器を挟持したから、拡散チュ−ブの内部に配置した蓄電器を挟持片によって確実かつ安全に保持し、工事現場での振動や衝撃による蓄電器の移動や落下を強力に防止することができる。
請求項２の発明は、挟持片の先端部に弾性を有する環状の掛止部材を装着したから、掛止部材の弾性によって一対の挟持片を引き寄せ、蓄電器を強固かつ安全に保持することができる。
【００１４】
請求項３の発明は、基板ホルダの周面に軸方向に沿って開口部を形成し、該開口部に臨ませて一対の張出部を突設し、該張出部の間に前記基板を挟持したから、基板を容易に取付けることができる。
請求項４の発明は、張出部の外周に弾性を有する環状の掛止部材を装着したから、掛止部材の弾性によって一対の張出部を引き寄せ、基板を強固かつ安全に保持することができる。
【００１５】
請求項５の発明は、一対の挟持片の先端部を前記開口部の内側開口縁部に臨ませて配置し、かつ挟持片の先端部を互いに外側へ屈曲したから、例えば開口部から蓄電器を押し込んで挟持片に挟持させ、蓄電器を容易に保持させることができる。
請求項６の発明は、基板ホルダに前記インナ−ホルダと張出部とを一体に樹脂成形したから、部品製作を容易かつ合理化し、部品点数の低減と構成の簡潔化を図ることができる
請求項７の発明は、シャ−シに複数の基板ホルダを離間して配置し、該複数の基板ホルダに亘って前記蓄電器を保持したから、蓄電器を安定かつ安全に保持することができる。
請求項８の発明は、蓄電器を基板の直下に配置したから、蓄電器と基板をコンパクトに配置し、この種工事用照明器具の小形化と体裁の向上を図ることができる。
【図面の簡単な説明】
【００１６】
【図１】本発明をトンネルの築造現場に使用した状況を示す説明図である。
【図２】本発明の一例を示す平面図で、リード線の配線を省略して示している。
【図３】図１の正面図で、リード線の配線を省略して示し、その一部を断面図示している。
【図４】図３の左側面図で、若干拡大して図示している。
【図５】図３の右側面図で、若干拡大して図示している。
【００１７】
【図６】図３のＡ−Ａ線に沿う断面図で、拡大して図示している。
【図７】図３のＢ−Ｂ線に沿う断面図で、拡大して図示している。
【図８】図３のＣ−Ｃ線に沿う断面図で、拡大して図示している。
【図９】本発明に適用した基板ホルダの設置状況を拡大して示す平面図である。
【図１０】本発明に適用した基板（ＬＥＤ）と蓄電器と非常用電源ユニットとの接続状況を示す配線図である。
【００１８】
【図１１】本発明の応用形態を示す平面図で、リード線の配線を省略して示している
【図１２】図１１の正面図で、リード線の配線を省略して示し、その一部を断面図示している。
【発明を実施するための最良の形態】
【００１９】
以下、本発明をトンネル築造時に適用した図示の実施形態について説明すると、１は築造途中のトンネル（シールドトンネルおよび山岳トンネルを含む）で、その掘削孔または掘削孔に覆工したセグメント（図示略）の両側壁１ａの中高位置に、多数の照明器具２，３が坑道に沿って縦列に設置されている。
前記照明器具２，３は商用電源によって点灯可能に構成され、このうち照明器具２は直管状の通常の蛍光灯で構成され、該照明器具２を複数隣接して配置し、該照明器具２，２の間に照明器具３が配置されている。
【００２０】
前記照明器具３は、照明器具２と略同径かつ同長の直管状に形成され、これは図２，３のように円管状の拡散チュ−ブ４と、該チュ−ブ４の内部に配置したシャ−シ５と、該シャ−シ５の一端部に配置した非常用電源ユニット６と、シャ−シ５の大半部に配置した複数の基板ホルダ７と、該基板ホルダ７上に装着した基板８と、該基板８の表面に実装した光源である複数のＬＥＤ９と、を備えている。
【００２１】
前記拡散チュ−ブ４は耐衝撃性に優れる合成樹脂製の円管からなり、その全域を乳白色に構成し、前記拡散チュ−ブ４から放射されるＬＥＤ９による照射光の輝度を低減可能にしている。
前記シャ−シ５は、鋼板を略コ字形断面ないし逆Ｕ字形断面に屈曲して形成され、その両端縁の間に開口溝が長さ方向に形成されている。
前記シャ−シ５の幅は拡散チュ−ブ４の内径の約１／３の細幅に形成され、その長さ方向の両端部に鋼板製の端板１０，１１をビス止めしている。
【００２２】
前記端板１０，１１は同形の略円板形に形成され、その周面を拡散チュ−ブ４の内面に密接可能に配置され、その外周部の一側にシャ−シ５を挿入可能な矩形の切欠溝１２，１３を形成している。
前記切欠溝１２，１３の口縁部に、端板１０，１１の屈曲片１４，１５が内側に折り曲げられ、該屈曲片１４，１５をシャ−シ５の端部に重合し、これらにビス１６，１７をねじ込んで固定している。
【００２３】
前記端板１０，１１の中央にバーリング加工した筒状のネジ孔１８，１９が形成され、該ネジ孔１８，１９にキャップ２０，２１の外側からビス２２，２３をねじ込み、該キャップ２０，２１を端板１０，１１に固定している。
前記ネジ孔１８，１９と切欠溝１２，１３との間に通孔２４，２５が形成され、このうち通孔２５に、キャップ２１の内側に突設したピン２６が挿入されている。
【００２４】
前記ネジ孔１８，１９を挟んで通孔２４，２５の反対側に透孔２７，２８が形成され、このうち透孔２７に後述する電源コ−ドが挿入され、そのリ−ド線の一部が非常用電源ユニット６に接続され、他の一部のリ−ド線（図示略）がシャ−シ５にア−スされている。
図中、３１は透孔２７の開口縁に装着したゴム製のキャップである。
【００２５】
前記切欠溝１２，１３の近接位置に、一または二つの切欠溝３２〜３４が放射状に形成され、このうち切欠溝３２，３３に保護チュ−ブ３４，３５が挟持され、該チュ−ブ３４，３５に非常用電源ユニット６とＬＥＤ９、後述する蓄電器に接続する複数のリ−ド線３６が挿入されている。
図中、３７，３８は端板１０の外周部に形成したピン孔で、該ピン孔３７，３８にキャップ２０の内側に突設した位置決め用のピン３９，４０が挿入されている。
【００２６】
前記キャップ２０，２１は一端を閉塞した合成樹脂製の筒体に形成され、その閉塞端部にビス２２，２３を挿入可能なビス孔が形成され、その両側に取付ブラケット４１，４２が突設されている。図中、４３，４４は取付ブラケット４１，４２に形成した差込孔である。
前記キャップ２０，２１の外周面の一側に略コ字形断面の脚４５，４６が突設され、該脚４５，４６の内側に電源コード４７を嵌合可能にしている。
【００２７】
前記電源コード４７の一端はキャップ２０の外側から導入され、その導入部の筒部にナット４８をねじ込んで、該導入部を保持可能にしている。
図中、４９は前記ナット４８と反対側に設けたＬＥＤ９の点灯用の押しボタンスイッチ、５０は電源コード４７の他端に設けた差込プラグである。
【００２８】
前記非常用電源ユニット６はシャ−シ５の一側にビス止めされ、該電源ユニット６として実施形態では、交流電力を直流電力に変換する電力変換回路を備えたコンバ−タが使用され、常時は交流電力を直流電力に変換し、その一部を多数のＬＥＤ９に給電して該ＬＥＤ９を点灯可能にし、他の一部を蓄電器５１に給電し、該蓄電器５１を充電可能にしている。
図中、５２ａ，５２ｂ、５３ａ，５３ｂは、非常用電源ユニット６の出力側とＬＥＤ９群および蓄電器５１との間に介挿した配線用の合成樹脂製のブロックピースで、着脱可能に構成されている。
【００２９】
前記基板ホルダ７は合成樹脂によって略矩形管状に成形され、その一側に開口部５４が管軸方向に形成されている。
前記開口部５４の開口縁に張出部５５，５５が突設され、該張出部５５，５５の内側の対向位置に係合溝５６，５６が形成され、該係合溝５６，５６に基板８が挟持されている
【００３０】
前記基板８は、前記係合溝５６，５６に差し込み可能な細長矩形板状に形成され、その内部に所定の回路が配線され、該回路の所定位置にＬＥＤ９のピン端子９ａが実装されている。
図中、５７は前記張出部５５，５５の外面に形成した係止溝で、該係止溝５７，５７にＯリング、輪ゴム等の環状の掛止部材５８が掛け渡され、その弾性によって張出部５５，５５を内側へ変位させ、係合溝５６，５６を介し基板８の両側部を圧接可能にしている。
【００３１】
前記基板ホルダ７の内側にインナ−ホルダ５９が一体成形され、該インナ−ホルダ５９は、基板ホルダ７の下部内面に弾性を備えた一対の挟持片６０，６０を対向して立設している。
前記挟持片６０，６０の中間部は凹状に湾曲形成され、その凹状湾曲部６０ｂ，６０ｂの内面に蓄電器５１の周面を挟持可能にしている。
【００３２】
前記挟持片６０，６０の上端部は外側に屈曲され、該屈曲部６０ａの基部外周に係止溝６２が形成されている。
前記係止溝６２にＯリング、輪ゴム等の環状の掛止部材６３が装着され、その弾性によって挟持片６０，６０の上部を内側へ変位させ、蓄電器５１を強固に圧接可能にしている
【００３３】
前記挟持片６０，６０の基部の間にテーパ面６４とビス孔６５が形成され、また基板ホルダ７の他側周面に一対の係止突起６６が突設され、該係止突起６６，６６の間に前記シャ−シ５が収容されている。
そして、前記ビス孔６５にビス６８を挿入し、これをシャ−シ５に形成したビス孔６７にねじ込み、基板ホルダ７をシャ−シ５に固定している。
【００３４】
前記蓄電器５１は実施形態の場合、充放電可能な複数の蓄電池からなり、その外径は基板ホルダ７の高さの約１／２で、その長さは基板８の長さの約１／２に形成され、充電には２４時間を要し、該充電によってＬＥＤ９群を１時間点灯可能にしている。
【００３５】
このように構成した工事用の照明器具３は、照明器具２と略同径かつ同長の直管状に形成され、これは乳白色の円管状の拡散チュ−ブ４と、該チュ−ブ４の内部に配置したシャ−シ５と、該シャ−シ５の一端部に配置した非常用電源ユニット６と、シャ−シ５の大半部に間隔を置いて配置した複数の基板ホルダ７と、該基板ホルダ７上に装着した基板８と、該基板８の表面に実装した光源である複数のＬＥＤ９と、充放電可能な蓄電器５１と、を備えている。
【００３６】
前記ＬＥＤ９は、従来の光源として使用されていた蛍光灯と比べると、明るさを同等にした場合、消費電力は蛍光灯の１／２で、寿命は蛍光灯の約５倍になり、蓄電器５１の充放電能力の小能力化ないし小形軽量化を図れる。
したがって、非常用電源ユニット６の小能力化ないし小形軽量化と、蓄電器５１を支持するシャ−シ５の小形軽量化を図れ、またこれらを収納する拡散チュ−ブ４の小形軽量化と、この種の工事用照明器具の小形軽量化を図れる。
【００３７】
また、基板ホルダ７を介して蓄電器５１を基板８の直下に収容し、これらをコンパクトに配置したから、蓄電器５１と光源を平面的に配置したり、蓄電器５１を別個に収納する場合に比べ、シャ−シ５を短くして拡散チュ−ブ４の短小かつ小径化を図れ、この種工事用照明器具の体裁を向上し得る。
【００３８】
しかも、基板ホルダ７は内側にインナ−ホルダ５９を一体成形し、基板８の取付けと蓄電器５１の取付けを単一部品で行なっているから、部品点数が低減し構成が簡潔になるとともに、複数の部品を組み付ける場合に比べ、簡便かつ合理的に製作できる。
【００３９】
次に、前記構成部品を組み付ける場合は、シャ−シ５を所定長さに切断し、その両端部と中間部の所定位置に複数のビス孔を形成し、その両端部に端板１０，１１の屈曲片１４，１５を重合し、これらにビス１６，１７をねじ込んで固定する。
この後、複数の基板ホルダ７を用意し、これを端板１１側から間隔を置いて取付ける。  前記基板ホルダ７の取付けは、係止突起６６，６６の間にシャ−シ５を係入し、双方のビス孔を位置合わせし、基板ホルダ７の上方からビス６８をビス孔６５に挿入し、これをシャ−シ５のビス孔６７にねじ込んで固定する。
【００４０】
この後、蓄電器５１を用意し、該蓄電器５１を前記基板ホルダ７，７の内側に掛け渡して支持する。その場合、基板ホルダ７，７の開口部５４，５４の上方から、挟持片６０，６０の間に蓄電器５１を押し込む。この状況は図７のようである。
このようにすると、挟持片６０，６０が弾性に抗して押し開かれ、蓄電器５１を差し込み後、挟持片６０，６０が復元し、その弾性によって蓄電器５１の周面を挟持する。
実施形態では蓄電器５１の長さと配線条件によって、中間位置の二つの基板ホルダ７，７間に蓄電器５１を保持させている。
【００４１】
そして、基板ホルダ７，７間に蓄電器５１を差し込み後、挟持片６０，６０の上端部の係止溝６２，６２にＯリング等の環状の掛止部材６３を掛け止める。この状況は図７のようである。
このようにすると掛止部材６３の弾性によって、挟持片６０，６０の上端部が内側に変位し、挟持片６０，６０の挟持力が強化されて、蓄電器５１を強固に保持する。
【００４２】
この後、前記基板ホルダ７，７に基板８を装着する。前記基板８は所定幅と所定長さに形成され、内部に配線した回路の所定位置に複数のＬＥＤ９が実装されている。
前記基板８を装着する場合は、前記配置した基板ホルダ７の一方から切欠溝５６，５６の間に基板８を差し込み、順次隣接の基板ホルダ７の切欠溝５６，５６間に差し込み、全ての基板ホルダ７上に基板８を差し渡す。この状況は図２、３および図７のようである。
このようにすると、基板８の両側部が切欠溝５６，５６の間に挟持され、その移動を阻止されて緊密に保持される。
【００４３】
前記基板８の装着後、基板ホルダ７の上端部の係止溝５７，５７に環状の掛止部材５８を掛け止める。この状況は図７および図９のようである。
このようにすると、掛止部材５８の弾性によって張出部５５，５５が内側に変位し、切欠溝５６，５６による挟持力が強化されて、基板８を強固に保持する。
この後、前記端板１０寄りのシャ−シ５上に非常用電源ユニット６を収容し、その両側の脚片にビスを挿入し、これをシャ−シ５のビス孔にねじ込んで、前記電源ユニット６を固定する。
【００４４】
そして、電源コード４７の一端をキャップ２０の内側に導入し、これを端板１０の透孔２７に挿入し、そのリ−ド線３０の一つを非常用電源ユニット６に接続し、他のリ−ド線３０をシャ−シ５上にアースし、残りのリ−ド線３０を保護チュ−ブ３４に挿入する。
また、蓄電器５１から引き出したリ−ド線３６を、連結したブロックピ−ス５３ａ，５３ｂに接続し、その一方のリ−ド線３６を非常用電源ユニット６に接続し、他方のリ−ド線３６を保護チュ−ブ３５に挿入する。
【００４５】
更に、基板８に導通するリ−ド線３６を、連結したブロックピ−ス５２ａ，５２ｂに接続し、その一対のリ−ド線３６を非常用電源ユニット６に接続し、該電源ユニット６の両端から別々に引き出したリ−ド線３６，３６を保護チュ−ブ３４，３５に挿入する。
そして、前記リ−ド線３０，３６を挿入した保護チュ−ブ３４を端板１０の切欠溝３２に挿入し、リ−ド線３６，３６を挿入した保護チュ−ブ３５を端板１０の切欠溝３３に挿入し、それらのリ−ド線３０，３６を端板１０の外側に引き出し、これらをスイッチ４９の接点に接続する。この状況は図６および図１０のようである。
【００４６】
この場合、前記リ−ド線は、蓄電器５１の図３上左端から引き出され、これが基板ホルダ７の内側から非常用電源ユニット６上に配線され、また基板８のリ−ド線は図３上左端から引き出されて非常用電源ユニット６上に配線され、他のリ−ド線が非常用電源ユニット６上に集中して配線される。
【００４７】
こうして、前記各リ−ド線３０，３６を配線後、キャップ２０の外側からビス２２を挿入し、これを端板１０のネジ孔１８にねじ込んで、キャップ２０を端板１０に固定する。
そして、キャップ２０の外側からナット４８を軸筒部にねじ込み、電源コ−ド４７の基部を保持し、該コ−ド４７を抜け止めする。
【００４８】
この後、拡散チュ−ブ４をキャップ２０の反対側からシャ−シ５に沿って差し入れ、該拡散チュ−ブ４の内部にシャ−シ５と、該シャ−シ５上に取付けた基板ホルダ７と、非常電源用ユニット６、および基板ホルダ７に装着した基板８とＬＥＤ９、並びにそれらに配線したリ−ド線を収容する。
この場合、前記リ−ド線は前述のように基板ホルダ７および基板８から外側に突出することなく配線され、また他のリ−ド線が非常用電源ユニット６上に集中して配線されているから、拡散チュ−ブ４を容易かつ円滑に差し込める。
【００４９】
そして、拡散チュ−ブ４の一端を端板１０とキャップ２０の間に差し込み、キャップ２０の内面段部に当接させる。
次に、拡散チュ−ブ４の他端にキャップ２１を嵌合し、該キャップ２１の内面に突設したピン２５を通孔２５に挿入し、それらを位置合わせする。
そして、キャップ２１の外側からビス２３をネジ孔１９にねじ込み、キャップ２１を端板１１に取付け、該キャップ２０，２１の間に拡散チュ−ブ４を挟持する。この状況は図３および図８のようである。
【００５０】
こうして組立てた工事用照明器具は図２，３のようで、実施形態の照明器具３は直径６５ｍｍｍ、取付ブラケット４１，４２間の長さ７９０ｍｍの略直管状に形成され、その表面の大半に乳白色の拡散チュ−ブ４が表出している。  
前記照明器具３は、不使用時にスイッチ４９がＯＦＦされ、蓄電器５１からの放電を阻止している。また、両側のキャップ２０，２１の脚４５，４６の内側に、図４，５のように電源コード４７が嵌合され、拡散チュ−ブ４の周面に軸方向に沿って整然と配置されている。したがって、不使用時には照明器具３を容易かつコンパクトに保管し得る。
【００５１】
次に、前記照明器具３を、例えばトンネル築造時の工事用照明に使用する場合、多数の照明器具３を用意し、これを通常の多数の照明器具２と一緒にトンネル１の坑内の両側壁１ａに縦列に配置する。
前記照明器具２，３の比率は実施形態の場合、５：１に配置され、多数の照明器具２の間に照明器具３を配置する。この状況は図１のようで、照明器具３の設置には取付けブラケット４１，４２が使用される。
【００５２】
前記照明器具２，３は商用電源（交流電源）に接続され、その使用時は双方共に給電されて照明器具２，３が点灯し、坑内を照射する。
この場合、前記照明器具３のＬＥＤ９による照射光は、乳白色の拡散チュ−ブ４によって輝度を抑制されるから、目に優しい照射光が得られる。
その際、照明器具３は使用時にスイッチ４９がＯＮされ、商用電源である交流電力が非常用電源ユニット６に入力され、該電源ユニット６のコンバ−タ−機能によって、交流電力が直流電力に変換されて出力される。
【００５３】
前記出力電力は、基板８と蓄電器５１側に分岐し、その一方から基板８に通電され、該基板８に実装された多数のＬＥＤ９を点灯し、他方から蓄電器５１に通電され、該蓄電器５１を充電する。実施形態の蓄電器５１は充電に２４時間を要し、その放電によって１時間点灯する。
【００５４】
このような照明器具２，３の点灯時、商用電源が停電すると、照明器具２が消灯する。  一方、蓄電器５１からは直流電力が放電され、非常用電源ユニット６を介して基板９の配線回路に通電され、前記基板９に実装されたＬＥＤ９に給電されて、該ＬＥＤ９が点灯し続ける。
したがって、前記停電時、蓄電器５１による非常用電源によって坑内にＬＥＤ９の照明が得られ、停電時における作業者の安全性が確保される。
【００５５】
前記照明器具３は拡散チュ−ブ４の内部に、非常用電源ユニット６と蓄電器５１、ＬＥＤ９を実装した基板８を収容しているから、照明器具の外部に蓄電器を配置するものに比べて、設置スペ−スがコンパクトになり、体裁が良好になる。
しかも、基板８ないしＬＥＤ９の直下に蓄電器５１を配置し、これらを合理的かつコンパクトに配置しているから、拡散チュ−ブ４の内径を可及的に小径化し、その小形軽量化と体裁の向上を図れる。
【００５６】
そして、基板８ないしＬＥＤ９と蓄電器５１とは十分に離間し、かつこれらが拡散チュ−ブ４に内に十分な空スペ−スを保って配置されているから、ＬＥＤ９の点灯による基板８ないしＬＥＤ９と蓄電器５１の発熱の放熱が促され、それらの機能低下と寿命の低下を防止する。
【００５７】
一方、前記照明器具３は、蓄電器５１が一対の挟持片６０，６０に保持され、その上端部を掛止部材６３によって掛け止められて、強固かつ確実に保持されているから、トンネル掘削時の振動や衝撃による緩みやガタの発生が防止される。
また、基板８が係合溝５６，５６に係合して挟持され、更に張出部５５，５５の外側の係止溝５７，５７に掛止部材５８が装着されて、張出部５５，５５を内側に変位させ、基板８を強固かつ確実に保持するから、トンネル掘削時の振動や衝撃による緩みやガタの発生を防止し、基板８ないしＬＥＤ９の動作不良を防止し、確実かつ安定した照明が得られる。
【００５８】
更に、拡散チュ−ブ４の両端部が端板１０，１１の外周に係合可能に近接して配置されているから、拡散チュ−ブ４が安全かつ確実に保持され、トンネル掘削時の振動や衝撃による緩みやガタの発生を防止される。
また、前記端板１０に二つの切欠溝３２，３３を形成し、これらに保護チュ−ブ３４，３５を押し込み、内部のリード線３０，３６を安全かつ確実に保持するから、断線を防止し配線の安全性を確保する。
【００５９】
図１１および図１２は本発明の応用形態を示し、前述の構成と対応する構成部分に同一の符号を用いている。
この応用形態は、シャ−シ６９を前述のシャ−シ５よりも側面高さを高く形成し、その中間部の側面に蓄電器５１を出し入れ可能な横長の窓７０を開口している。
そして、前記窓７０の下側開口縁部に複数の係止爪７１を突設し、該係止爪７１を介して蓄電器５１の下部周面を挟持している。
前記シャ−シ６９の下部は、前述のシャ−シ５と同様に幅広な開口溝（図示略）が長さ方向に成され、該開口溝の口縁部に前記蓄電器５１を掛け止めている。
【００６０】
一方、前記シャ−シ６９の一側に窓７２が形成され、該窓７２を介してシャ−シ６９の内側に非常用電源ユニット６を配置している。
前記シャ−シ６９の上端部に複数の基板ホルダ７３がビス止めされ、該基板ホルダ７３に多数のＬＥＤ９を実装した基板８が前述と同様に取付けられている。
前記基板ホルダ７３は、前述の基板ホルダ７のインナ−ホルダ５９を省略し、その他の構成は基板ホルダ７と実質的に同一に形成され、インナ−ホルダ５９の省略分小形化されている。
【００６１】
このように、この応用形態はシャ−シ６９の側面高さを高くし、その内部に蓄電器５１を収容することによって、基板８ないしＬＥＤ９と蓄電器５１との上下の配置構造を維持し、また基板ホルダ７３の構成を簡潔かつ小形化し、この種の照明器具の小形軽量化を図るようにしている。
【産業上の利用可能性】
【００６２】
本発明の工事用照明器具は、蓄電器とＬＥＤを実装した基板とを合理的かつコンパクトに配置し、小形軽量化と体裁の改善を図るとともに、これを堅牢に構成して工事用に好適にし、しかも寿命を向上し安全かつ安定した通常照明と非常照明を得られるから、例えばトンネル築造時の使用に好適である。
【符号の説明】
【００６３】
２，３                照明器具
４                    拡散チュ−ブ
５                    シャ−シ
６                    非常用電源ユニット
８                    基板
９                    ＬＥＤ
【００６４】
７                    基板ホルダ
５１                  蓄電器
５４                  開口部
５５                  張出部
５６                  係合溝
５８                  掛止部材
【００６５】
５９                  インナ−ホルダ
６０                  挟持片
６３                  掛止部材
７３                  基板ホルダ
【図１】
0005455950.tif 000002
【図２】
0005455950.tif 000003
【図３】
0005455950.tif 000004
【図４】
0005455950.tif 000005
【図５】
0005455950.tif 000006
【図６】
0005455950.tif 000007
【図７】
0005455950.tif 000008
【図８】
0005455950.tif 000009
【図９】
0005455950.tif 000010
【図１０】
0005455950.tif 000011
【図１１】
0005455950.tif 000012
【図１２】
0005455950.tif 000013